(57)【要約】【課題】  本発明は、利用者が入力したい位置に容易に画像を入力することができるユーザーフレンドリな表示装置を提供する。【解決手段】  表示装置は、表示部１０と、入力ツール２０と、情報処理部３０とから構成される。情報処理部３０は、記憶部３２と、画像生成部３３と、制御部３１とから構成される。  制御部３１は、利用者Ａから遠い位置に画像を入力したいときに、利用者Ａが移動することなく容易に画像を入力できるように、利用者Ａから遠い領域内の画像を利用者Ａから近い領域内に表示させる画像入替機能を備える。【選択図】図１
2009103942.tif 000002
【特許請求の範囲】
【請求項１】
画面に入力された画像を表示する表示部と、前記画像の表示を制御する制御部とを備え、
利用者から遠い位置に画像を入力したいとき、前記制御部は、前記画面を複数の領域に分割し、前記利用者から遠い領域内の画像を前記利用者から近い領域内に表示させることを特徴とする表示装置。
【請求項２】
制御部は、利用者から近い領域内の画像を他の領域内に表示させることを特徴とする請求項１に記載の表示装置。
【請求項３】
制御部は、利用者から遠い領域内の画像と前記利用者から近い領域内の画像とを入れ替えて表示させることを特徴とする請求項２に記載の表示装置。
【請求項４】
利用者が操作する入替入力部を備え、
前記入替入力部から入力があったとき、制御部は、画面をマトリックス状に分割し、利用者から遠い領域内の画像と前記利用者から近い領域内の画像とを入れ替えて表示させることを特徴とする請求項３に記載の表示装置。
【請求項５】
制御部は、画面を上下に２分割し、
入替入力部から入力があったとき、前記制御部は、分割された領域内の画像を入れ替えて表示させることを特徴とする請求項４に記載の表示装置。
【請求項６】
制御部は、画面を左右に２分割し、
入替入力部から入力があったとき、前記制御部は、分割された領域内の画像を入れ替えて表示させることを特徴とする請求項４に記載の表示装置。
【請求項７】
制御部は、画面を上下左右に４分割し、
入替入力部から入力があったとき、前記制御部は、所定の規則に基づいて、一の領域内の画像を他の領域内に表示させることを特徴とする請求項４に記載の表示装置。
【請求項８】
画面の前面にタッチパネルが備えられ、
前記タッチパネルに対して画像を入力する入力ツールが設けられ、
制御部は、利用者が前記入力ツールを用いて入力できる範囲を近い領域と設定することを特徴とする請求項１〜７のいずれかに記載の表示装置。
【発明の詳細な説明】
【技術分野】
【０００１】
本発明は、画面に画像を表示する表示装置に関する。
【背景技術】
【０００２】
従来、商品発表や企画説明といった会議やプレゼンテーション等では、筆記具を用いてホワイトボードに書き込み、書き込まれた議事内容を光学的に読み取って感熱紙に印刷し、さらに、その感熱紙をコピーして会議の参加者に配布していた。
【０００３】
しかし、上記手段による議事内容の記録は、紙資源が多大に浪費する問題がある。また、議事内容を管理するためにデータ化するには、多大な人的労力を要する問題がある。
【０００４】
そこで、特許文献１には、タッチペンといった入力ツールによって画面上に議事内容を自由な書式で直接的に書き込み、書き込まれた議事内容をそのままデータ化することにより、会議終了後の議事内容の管理、参加者への配布、そして、議事内容の加工等を簡単に実行できる電子会議システムに備えられた表示装置が提案されている。
【特許文献１】特開２０００−０５６７４７号公報
【発明の開示】
【発明が解決しようとする課題】
【０００５】
ところで、近年は、商品発表や企画説明といった会議やプレゼンテーション等で利用される大型の画面を有する表示装置が開発されている。会議やプレゼンテーション等は、講義室や国際会議場といったある程度の広さのある場所で行われる。そのため、表示装置はかなり大型の画面が備えられる。
【０００６】
しかし、画面を大型にすると、利用者が画面の上部に手が届かない、あるいは、画面の端まで移動して画像の入力を行なう労力を要するといった問題がある。
【０００７】
そこで、本発明は、上記に鑑み、利用者が入力したい位置に容易に画像を入力することができるユーザーフレンドリな表示装置の提供を目的とする。
【課題を解決するための手段】
【０００８】
上記目的を達成するために、本発明では、画面に入力された画像を表示する表示部と、前記画像の表示を制御する制御部とを備え、利用者から遠い位置に画像を入力したいとき、前記制御部は、前記画面を複数の領域に分割し、前記利用者から遠い領域内の画像を前記利用者から近い領域内に表示させることを特徴とする。
【０００９】
表示部は、接触あるいは非接触式の入力可能な画面を備える。具体的には、画面の前面にタッチパネルが備えられ、前記タッチパネルに対して画像を入力する入力ツールが設けられる。制御部は、前記画面から画像の入力を受け付ける。制御部は、入力された画像を画面に表示させる。
【００１０】
表示部は、大型の画面とされる。そのため、利用者が画面の上部に手が届かない、あるいは、画面の端まで移動して画像の入力を行なう労力を要する。すなわち、利用者は、画像を入力したい位置に容易に入力することができない。
【００１１】
そこで、制御部は、利用者が入力したい位置に容易に画像を入力できるように、前記画面を複数の領域に分割し、前記利用者から遠い領域内の画像を前記利用者から近い領域内に表示させる。すなわち、制御部は、利用者が入力したい位置を含む領域内の画像を、利用者が入力しやすい領域に表示させる。
【００１２】
ここで、利用者から近い領域とは、利用者が移動することなく、画面に対して容易に画像を入力できる範囲である。この近い領域は、利用者の位置によって決まる。すなわち、利用者が移動することなく入力することができる範囲を近い領域とする。
【００１３】
近い領域は、制御部によって設定しても良い。例えば、表示装置は、利用者が操作する入替入力部を備える。そして、制御部は、前記入替入力部から近い領域を利用者から近い領域と設定する。その他としては、利用者が前記入力ツールを用いて入力できる範囲を指定する。制御部は、指定された範囲を近い領域と設定する。
【００１４】
制御部は、画面をマトリックス状に分割する。例えば、画面を上下あるいは左右に２分割する。または、画面を上下左右に４分割する。
【００１５】
入替入力部から入力があったとき、制御部は、前記利用者から遠い領域内の画像を前記利用者から近い領域内に表示させる。具体的には、制御部は、遠い領域内の画像を近い領域内の画像に重ねて表示させる。あるいは、近い領域内の画像を他の領域内に表示させる。例えば、利用者から遠い領域内の画像と前記利用者から近い領域内の画像とを入れ替えて表示させる。あるいは、所定の規則に基づいて、一の領域内の画像を他の領域内に表示させる。具体的には、一の領域の画像を時計回りに隣り合う領域内に表示させる。
【発明の効果】
【００１６】
本発明によると、画像を表示している画面を複数に分割し、分割された領域の内、利用者が画像を入力したい位置を含む遠い領域内の画像を、利用者から近い領域内に表示させる。これにより、利用者は、移動することなく、利用者から離れた位置に容易に画像を入力することができる上、表示された画像に対して修正や追記等も行なうこともできる表示装置を提供することができる。
【発明を実施するための最良の形態】
【００１７】
以下、本発明の表示装置を詳細に説明する。
【００１８】
本発明の表示装置は、入力された画像を表示部１０に表示する。表示装置は、図１に示すように、画像を表示する表示部１０と、利用者Ａが操作する入力ツール２０と、それら装置を制御する情報処理部３０とから構成される。
【００１９】
表示部１０は、画像を画面に表示する表示駆動部１１と、画面の表面を覆うように取り付けられたタッチパネル１２とから構成される。表示部１０は、例えば、ＣＲＴディスプレイや液晶ディスプレイ等であり、情報処理部３０からの指示に基づいて、入力された画像や拡大／縮小といった処理をした結果等を表示する。
【００２０】
タッチパネル１２は、入力ツール２０でタッチパネル１２の表面に触れることで、画像の入力を受け付ける入力装置である。タッチパネル１２は、専用の透明なスクリーンから形成されており、液晶ディスプレイである表示部１０の画面の上面を覆うように取り付けられる。タッチパネル１２は、入力ツール２０によって接触される接触位置等を監視する。タッチパネル１２は、入力ツール２０による接触を検出すると、その監視結果、例えば、接触状況や接触位置といった情報をインターフェースを介して情報処理部３０に送信する。
【００２１】
入力ツール２０は、タッチパネル１２に対して画像を入力するために、利用者Ａが使用するものである。入力ツール２０は、例えば、タッチペンといったポインティングデバイスが挙げられる。なお、入力ツール２０は、ポインティングデバイスに限られることはなく、タッチパネル１２に接触可能なものであれば良く、例えば、利用者Ａの指、タッチペン、指し棒等が挙げられる。
【００２２】
情報処理部３０は、タッチパネル１２から入力された画像を、画面に表示させると共に、入力された画像を管理する装置である。情報処理部３０は、表示部１０に一体的に設けられる。あるいは、ＰＣのように、表示部１０に接続されたものとする。情報処理部３０は、表示部１０の画面やタッチパネル１２と無線あるいは有線によって通信可能に接続される。情報処理部３０は、ネットワークに接続され、外部のＰＣや画像処理装置と通信可能とされる。情報処理部３０は、外部から入力された画像を画面に表示させる。
【００２３】
情報処理部３０は、各種データやプログラム等を記憶する記憶部３２と、入力された画像から画像データを生成して画面に表示させる画像生成部３３と、これら装置を制御する制御部３１とから構成される。
【００２４】
記憶部３２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）等から構成される。記憶部３２は、制御部３１で実行される制御プログラム、各種アプリケーションプログラム、データ等を格納する。また、記憶部３２は、制御プログラムや各種アプリケーションプログラムが実行時に一時的にデータを格納する。
【００２５】
画像生成部３３は、制御部３１からの描画指示により画像データを生成する。すなわち、画像生成部３３は、タッチパネル１２を通じて入力された操作情報から画像データを生成する。また、画像生成部３３は、外部から入力された画像に基づいて画像データを生成する。
【００２６】
制御部３１はＣＰＵであって、記憶部３２に記憶されているプログラムに基づいて情報処理部３０全体を制御する。
【００２７】
ところで、表示装置は、講義室や国際会議場といったある程度の広さのある場所で使用される。そのため、表示装置は大型の表示部１０を備える。しかし、表示部１０を大型化すると、利用者Ａから遠い位置に画像を入力したいとき、利用者Ａの手が届かない、あるいは、表示部１０の端まで移動する労力を要するといった問題がある。
【００２８】
そこで、制御部３１は、利用者Ａから遠い位置に画像を入力したいときに、利用者Ａが移動することなく容易に画像を入力できるように、利用者Ａから遠い領域内の画像を利用者Ａから近い領域内に表示させる画像入替機能を備える。
【００２９】
具体的には、表示部１０は、利用者Ａが操作する入替入力部１３を備える。制御部３１は、入替入力部１３から入力があったとき、画面をマトリックス状に分割し、利用者Ａから遠い領域内の画像と前記利用者Ａから近い領域内の画像とを入れ替えて表示させる。
【００３０】
入替入力部１３は、利用者Ａがどの位置にいても操作できるように、表示部１０の画面外側に備えられる。具体的には、入替入力部１３は、図２に示すように、表示部１０の下部の全体をスイッチとして配置する。あるいは、入替入力部１３は、図３または図４に示すように、表示部１０の下部で、いずれか一方の端側に配置する。なお、入替入力部１３は、タッチパネル１２に形成しても良い。
【００３１】
制御部３１は、入替入力部１３から入力があったときに、画面をマトリックス状に分割する。例えば、制御部３１は、図２に示すように、画面を上下に２分割する。または、制御部３１は、図３に示すように、画面を左右に２分割する。または、制御部３１は、図４に示すように、画面を上下左右に４分割する。
【００３２】
画面を複数の領域に分割すると、制御部３１は、分割した領域のうち、利用者Ａから遠い領域内の画像を利用者Ａから近い領域内に表示させ、近い領域内の画像を他の領域内に表示させる。これにより、利用者Ａは、遠い領域の画像に対して編集作業ができる。
【００３３】
具体的には、画面を上下に２分割した場合、制御部３１は、利用者Ａが入替入力部１３を押下することで、図２に示すように、画面の上部に位置する利用者Ａから遠い領域１１ａの画像を、画面の下部に位置する利用者Ａから近い領域１１ｂの画像とを入れ替えて表示する。これにより、利用者Ａの手が届かない画面の上部の領域に画像を入力することができる。画像を入力した後、入替入力部１３を押下すると、再び上下の表示を入れ替える。すなわち、元の状態の画面に戻る。
【００３４】
画面を左右に２分割した場合は、利用者Ａが入替入力部１３を押下すると、図３に示すように、画面の右端に位置する利用者Ａから遠い領域１１ｃの画像を、画面の左端に位置する利用者Ａから近い領域１１ｄの画像とを入れ替えて表示する。これにより、利用者Ａが移動することなく、画面の右端の領域に画像を入力することができる。画像を入力した後、入替入力部１３を押下すると、再び左右の表示を入れ替える。すなわち、元の状態の画面に戻る。
【００３５】
画面を上下左右に４分割した場合は、利用者Ａが入替入力部１３を押下すると、図４および図５に示すように、各領域の画像をあらかじめ決められた方向に隣り合う領域に表示させる。例えば、一の領域の画像を時計回りに隣り合う領域内に表示させる。これにより、利用者Ａの手が届かない画面の上部の領域に画像を入力することができる上、利用者Ａが移動することなく、画面の右端の領域に画像を入力することができる。
【００３６】
画像を入力した後、入替入力部１３を押下すると、再び一の領域の画像を時計回りに隣り合う領域内に表示させる。これを繰り返し行ない、元の状態の画面に戻る。
【００３７】
次に、表示装置の動作について説明する。なお、説明の便宜上、図４および図５に示すように、制御部３１は画面を上下左右に４分割する。入替入力部１３は、表示部１０の下端で、左側端部に配置される。制御部３１は、各領域の画像を時計回り方向に隣り合う領域に表示させる。利用者Ａが入力したい位置は、画面を４分割した際に、左側下部の領域内に位置する。
【００３８】
先ず、利用者Ａによって、表示装置の電源がＯＮされる。情報処理部３０は、画面に画像を表示させる。これと同時に、制御部３１は、利用者Ａによって入替入力部１３が押下されたか否かを検出する。入替入力部１３が押下されたことを検出すると、制御部３１は、画像入替機能を開始する。
【００３９】
制御部３１は、画面を上下左右に４等分に分割する。そして、制御部３１は、分割した各領域に領域番号を割り振る。具体的には、画面の左側上部の領域を１１ｅ、右側上部の領域を１１ｆ、左側下部の領域を１１ｇ、右側下部の領域を１１ｈとする。そして、制御部３１は、各領域内に表示されている画像に画像番号を割り振る。具体的には、領域１１ｅの画像を表示１、領域１１ｆの画像を表示２、領域１１ｇの画像を表示３、領域１１ｈの画像を表示４とする。
【００４０】
制御部３１は、各領域の画像を時計回り方向に隣り合う領域に表示させる。すなわち、制御部３１は、画像１を領域１１ｆに表示させ、画像２を領域１１ｈに表示させ、画像４を領域１１ｇに表示させ、画像３を領域１１ｅに表示させる。
【００４１】
これにより、利用者Ａが入力したい位置を含む画像４は、利用者Ａから近い領域、すなわち、領域１１ｇに表示される。利用者Ａが入力したい位置を含む画像４が、利用者Ａから近い領域に表示されていない場合は、再度、入替入力部１３を押下して各領域の画像を時計回りに隣り合う領域内に表示させる。この動作を繰り返し行ない、画像を入力したい位置を含む遠い領域内の画像を、近い領域に表示させる。利用者Ａから近い領域、すなわち、領域１１ｇに入力したい位置を含む画像４が入力されると、利用者Ａは、画像を入力する。
【００４２】
入力が終了すると、利用者Ａは、入替入力部１３を押下する。制御部は、各領域の画像を時計回りに隣り合う領域内に表示させる。この動作を繰り返し行ない、画像を元の領域に表示させる。そして、制御部３１は、画像入替機能を終了する。
【００４３】
これにより、表示装置は、利用者Ａが移動することなく、利用者Ａから離れた位置に容易に画像を入力することができる上、表示された画像に対して修正や追記等も行なうこともできる。
【００４４】
なお、本発明は、上記実施形態に限定されるものではなく、本発明の範囲内で上記実施形態に多くの修正および変更を加え得ることは勿論である。
【００４５】
本実施形態では、画面を上下左右に４分割した際は、画像を時計回りに隣り合う領域に表示させているが、特にこの限りではなく、半時計回り、Ｚ方向といったように、特定の規則に基づいて各領域に画像を表示させても良い。または、差し棒やレーザーポインタ等を用いて、入れ替える領域を指定しても良い。または、表示装置に操作部を備え、操作部に分割した画面を表示させ、利用者によって入れ替える領域の画像を選択して、表示を入れ替えても良い。
【００４６】
制御部は、遠い領域内の画像を近い領域内の画像と入れ替えて表示しているが、遠い領域内の画像を近い領域内の画像に重ねて表示しても良い。あるいは、遠い領域内の画像が表示できるように、近い領域内の画像の位置や大きさ等を変更して、遠い領域内の画像が表示できる範囲を設けても良い。
【００４７】
本実施形態では、画面をマトリックス状に分割しているが、特にこの限りではなく、例えば、幾何学的あるいは不均等といったように、領域を複数に分割すれば良い。
【図面の簡単な説明】
【００４８】
【図１】本発明に係る表示装置を示す全体ブロック図
【図２】画面を上下に２分割したときの図であって、（ａ）は通常の状態を示す図、（ｂ）は上下の領域内の画像を入れ替えた状態を示す図
【図３】画面を左右に２分割したときの図であって、（ａ）は通常の状態を示す図、（ｂ）は左右の領域内の画像を入れ替えた状態を示す図
【図４】画面を上下左右に４分割したときの図
【図５】位置の領域内の画像を時計回りに隣り合う領域に表示させた状態を示す図
【符号の説明】
【００４９】
１０  表示部
１１  表示駆動部
１１ａ〜１１ｈ  領域
１２  タッチパネル
１３  入替入力部
２０  入力部
３０  情報処理部
３１  制御部
３２  記憶部
３３  画像生成部
Ａ    利用者
【図１】
2009103942.tif 000003
【図２】
2009103942.tif 000004
【図３】
2009103942.tif 000005
【図４】
2009103942.tif 000006
【図５】
2009103942.tif 000007